(57)【要約】【課題】車両に貼着する内貼用ラベルと外貼用ラベルを作製可能なラベル帳票にあって、従来構成に比べて、車両への貼着作業が容易な構成を提供する。【解決手段】ラベル帳票１の、少なくとも車両用ラベルを構成することとなる部分を、固定情報が両面に設けられた不透明な基材層１０と、基材層１０の表側に配設される透明な保護層１１と、基材層１０の裏側に配設される透明な粘着剤層１２と、粘着剤層１２の裏面に剥離可能に貼着される透明な剥離シート１３とで構成する。そして、保護層１１、粘着剤層１２、及び剥離シート１３を、特定のレーザー光が透過するよう構成するとともに、特定のレーザー光を用いて基材層１０の両面にレーザーマーキング可能となるよう構成する。【選択図】図２
2020098305.tif 000002
【特許請求の範囲】
【請求項１】
固定情報が予め配設されており、可変情報を追加して車両に貼着する車両用ラベルを作製するためのラベル帳票であって、
少なくとも前記車両用ラベルを構成することとなる部分は、
前記固定情報が両面に形成された基材層と、
前記基材層の表側に配置された保護層と、
前記基材層の裏側に配置された粘着剤層と、
前記粘着剤層の裏面に剥離可能に貼着された剥離シートと
を備え、
前記基材層は、可視光及び特定のレーザー光を透過困難であって、前記特定のレーザー光を用いて両面にレーザーマーキング可能なものであり、
前記保護層、前記粘着剤層、及び前記剥離シートは透明であり、かつ、前記特定のレーザー光を透過可能であることを特徴とするラベル帳票。
【請求項２】
前記基材層は、
少なくとも前記車両用ラベルを構成することとなる部分の両面に、前記固定情報を形成する印刷層と、前記各印刷層を覆うように積層されて、前記特定のレーザー光の照射により発色させることが可能な、透明なマーキング層とを備えることを特徴とする請求項１に記載のラベル帳票。
【請求項３】
前記車両用ラベルを構成することとなるラベル部と、前記車両用ラベルを構成せず、前記ラベル部と連続する非ラベル部とを備え、
前記ラベル部には、前記基材層の両面に、背景デザインが前記固定情報として形成されており、
前記非ラベル部には、前記基材層に、車両のウインドウガラスの内側に貼着する内貼用ラベルの使用説明と、車両の外表面に貼着する外貼用ラベルの使用説明とが、前記固定情報として夫々形成されており、
前記マーキング層は、少なくとも前記ラベル部の前記背景デザインと、前記非ラベル部の前記使用説明に重なる位置に形成されていることを特徴とする請求項２に記載のラベル帳票。
【請求項４】
前記外貼用ラベルの使用説明は、前記基材層の裏側に形成され、前記内貼用ラベルの使用説明は、前記基材層の表側に形成されていることを特徴とする請求項３に記載のラベル帳票。
【請求項５】
前記剥離シートは、切込線によって、前記車両用ラベルを構成することとなる部分の中央部に貼着された中央剥離部と、前記車両用ラベルを構成することとなる部分の外周部に貼着された外周剥離部とに分離されている、又は分離容易であることを特徴とする請求項１乃至請求項４のいずれか１項に記載のラベル帳票。
【発明の詳細な説明】
【技術分野】
【０００１】
本発明は、各種の証明を目的として車両に貼着される車両用ラベルを作製するためのラベル帳票に関する。
【背景技術】
【０００２】
各種の証明を目的として車両に貼着される車両用ラベルとしては、監督官庁が発行する各種許可証、検査標章や、大学・企業等が発行する入構許可証、駐車許可証などがある。そして、こうした車両用ラベルを作製するための、ラベル帳票として、台紙に透明ラベル片と不透明ラベル片を剥離可能に貼着した構成が提案されている（例えば、特許文献１）。かかるラベル帳票には、偽造防止印刷や注意書き等の全ての車両用ラベルで共通する固定情報は事前印刷されており、許可番号、車両ナンバー、有効期限、発行日等の車両用ラベルによって異なる可変情報は、車両用ラベルの発行者がラベル帳票に個別に印字して、車両の所有者等に発行する。そして、車両の所有者等が、一方のラベル片の上に他方のラベル片を重ねて一体化することによりラベル帳票から車両用ラベルを作製し、車両に貼着するよう構成される。
【０００３】
ここで、車両用ラベルには、バイク等の外表面に貼着する外貼用ラベルと、自動車等のウインドウガラスの内側に貼着してウインドウガラスを透して視認可能とする内貼用ラベルとがあるが、上記特許文献１のラベル帳票は、透明ラベル片と不透明ラベル片の上下の配置を選択することによって、外貼用ラベルと内貼用ラベルを選択的に作製できるため、内貼用ラベルと外貼用ラベルを作製するためのラベル帳票を共通化できる。
【先行技術文献】
【特許文献】
【０００４】
【特許文献１】特開２００５−１０５２９号公報
【発明の概要】
【発明が解決しようとする課題】
【０００５】
上記特許文献１のラベル帳票の場合、車両用ラベルを車両に貼着する際に、透明ラベル片と不透明ラベル片を重ねる作業が必要となるが、内貼用ラベルの場合と外貼用ラベルの場合とで、透明ラベル片と不透明ラベル片の上下が異なるため、ラベル片の上下を取り違えないよう注意する必要があった。
【０００６】
本発明はかかる現状に鑑みてなされたものであり、車両に貼着する内貼用ラベルと外貼用ラベルを作製可能なラベル帳票にあって、従来構成に比べて、車両への貼着作業が容易な構成の提供を目的とする。
【課題を解決するための手段】
【０００７】
本発明は、固定情報が予め配設されており、可変情報を追加して車両に貼着する車両用ラベルを作製するためのラベル帳票であって、少なくとも前記車両用ラベルを構成することとなる部分は、前記固定情報が両面に形成された基材層と、前記基材層の表側に配置された保護層と、前記基材層の裏側に配置された粘着剤層と、前記粘着剤層の裏面に剥離可能に貼着された剥離シートとを備え、前記基材層は、可視光及び特定のレーザー光を透過困難であって、前記特定のレーザー光を用いて両面にレーザーマーキング可能なものであり、前記保護層、前記粘着剤層、及び前記剥離シートは透明であり、かつ、前記特定のレーザー光を透過可能であることを特徴とするラベル帳票である。ここで、本発明に係る「透明」とは、内層に設けられる情報を外側から視認可能な程度に透けて見える状態を指す。また、ラベル帳票の「裏側」は、作製する車両用ラベルの、車両と接合させる側を指し、ラベル帳票の「表側」は、その反対側を指す。
【０００８】
かかる構成にあっては、保護層が透明で特定のレーザー光を透過可能であるため、特定のレーザー光を用いたレーザーマーキングによって、ラベル帳票の表側から基材層の表側に可変情報を印字できる。また、粘着剤層及び剥離シートも透明で特定のレーザー光を透過可能であるため、特定のレーザー光を用いたレーザーマーキングによって、ラベル帳票の裏側から基材層の裏側にも可変情報を印字できる。このように、本発明のラベル帳票は、可変情報を両面に印字可能であるため、外貼用ラベルと内貼用ラベルの双方を作製できる。すなわち、本発明のラベル帳票から外貼用ラベルを作製する場合は、少なくとも基材層の表側に可変情報を印字して、外貼用ラベルを構成する部分から剥離シートを剥がして車両の外表面に貼着すればよい。また、本発明のラベル帳票から内貼用ラベルを作製する場合は、少なくとも基材層の裏側に可変情報を印字して、内貼用ラベルを構成する部分から剥離シートを剥がしてウインドウガラスの内側に貼着すればよい。ここで、本発明のラベル帳票では、外貼用ラベルを貼着する場合でも、内貼用ラベルを貼着する場合でも、可変情報の印字後に剥離シートを剥がして車両の対象部位に貼着するだけで足りるため、従来構成のように透明ラベル片と不透明ラベル片を重ねる作業は不要であり、従来構成に比べて貼着作業が容易である。また、本発明のラベル帳票では、可変情報はレーザーマーキングによって保護層や粘着剤層よりも内層に印字されることとなるため、可変情報の印字後に保護層等を積層しなくても、可変情報の印字面は適切に保護される。
【０００９】
本発明にあって、前記基材層は、少なくとも前記車両用ラベルを構成することとなる部分の両面に、前記固定情報を形成する印刷層と、前記各印刷層を覆うように積層されて、前記特定のレーザー光の照射により発色させることが可能な、透明なマーキング層とを備えることが提案される。
【００１０】
かかる構成とすれば、固定情報と重なる位置に、レーザーマーキングによって可変情報を明瞭に印字可能となる。また、マーキング層の、レーザー光を照射しない部分は透明であるため、固定情報の視認性がマーキング層によって損なわれることもない。したがって、かかる構成によれば、固定情報及び可変情報を車両用ラベルに明瞭に表示可能となる。
【００１１】
また、上記構成にあって、前記車両用ラベルを構成することとなるラベル部と、前記車両用ラベルを構成せず、前記ラベル部と連続する非ラベル部とを備え、前記ラベル部には、前記基材層の両面に、背景デザインが前記固定情報として形成されており、前記非ラベル部には、前記基材層に、車両のウインドウガラスの内側に貼着する内貼用ラベルの使用説明と、車両の外表面に貼着する外貼用ラベルの使用説明とが、前記固定情報として夫々形成されており、前記マーキング層は、少なくとも前記ラベル部の前記背景デザインと、前記非ラベル部の前記使用説明に重なる位置に形成されている構成が提案される。
【００１２】
かかる構成にあっては、車両用ラベルと、当該車両用ラベルとを一繋がりのシートとして効率的に作製できる。また、かかる構成のように、外貼用の使用説明と内貼用の使用説明の双方を固定情報として事前に形成しておけば、レーザーマーキングの際に、一方の使用説明に対して無効・取消を示すマークを印字するだけで足りるため、使用説明をレーザーマーキングするのに比べて、レーザーマーキングの印字時間を短縮できる。
【００１３】
さらに、上記構成にあって、前記外貼用ラベルの使用説明は、前記基材層の裏側に形成され、前記内貼用ラベルの使用説明は、前記基材層の表側に形成されている構成が提案される。
【００１４】
外貼用ラベル作製時には、ラベル部の少なくとも表側に可変情報を印字する必要があり、また、非ラベル部の、内貼用ラベルの使用説明に対して無効・取消を示すマークを印字する必要がある。一方、内貼用ラベル作製時には、ラベル部の少なくとも裏側に可変情報を印字する必要があり、また、非ラベル部の、外貼用ラベルの使用説明に対して無効・取消を示すマークを印字する必要がある。このため、かかる構成のように、外貼用ラベルの使用説明を裏側に、内貼用ラベルの使用説明を表側に印刷しておけば、ラベル部と非ラベル部へ可変情報を効率的に印字できる。
【００１５】
また、本発明にあって、前記剥離シートは、切込線によって、前記車両用ラベルを構成することとなる部分の中央部に貼着された中央剥離部と、前記車両用ラベルを構成することとなる部分の外周部に貼着された外周剥離部とに分離されている構成が提案される。
【００１６】
一般的に、検査標章や入構許可証等の車両用ラベルには有効期限が設けられており、有効期限更新時にはラベルの貼り替えが必要となる。専門業者であれば古いラベルをきれいに剥がし取るが、車両の所有者等は、古いラベルを糊残りのないように剥がし取るのは難しい。かかる構成では、外周剥離部のみを車両用ラベルから剥がして、中央剥離部の剥離シートを車両用ラベルに貼着したまま車両に貼着すれば、車両用ラベルと車両との貼着面積が低下するため、剥離作業が容易となる。また、車両用ラベルを剥離した時に糊残りが生じたとしても、糊残りが生じる箇所は車両用ラベルの外周部であるため、同じ箇所に新しい車両用ラベルを貼着しても、美観が損なわれ難いという利点もある。なお、剥離シートは透明であるため、中央剥離部の剥離シートを内貼用ラベルに残したまま車両に貼着したとしても、車両用ラベルの視認性が損なわれることはない。
【発明の効果】
【００１７】
以上のように、本発明によれば、内貼用と外貼用のラミネートラベルを作製可能であり、かつ、車両への貼着作業が容易なラベル帳票が実現される。
【図面の簡単な説明】
【００１８】
【図１】ラベル帳票１の（ａ）表面図と（ｂ）裏面図である。
【図２】ラベル帳票１の積層構造を示す説明図である。
【図３】（ａ）は、外貼用ラベル２ａを作製する際の、レーザーマーキングによる可変情報３０〜３３の印字例を示すラベル帳票１の表面図であり、（ｂ）は、外貼用ラベル２ａの貼着方法を示す説明図である。
【図４】（ａ）は、内貼用ラベル２ｂを作製する際の、レーザーマーキングによる可変情報３０〜３３の印字例を示すラベル帳票１の裏面図であり、（ｂ）は、内貼用ラベル２ｂの貼着方法を示す説明図である。
【図５】別形態の内貼用ラベル２ｂを作製する際の、レーザーマーキングによる可変情報３０ａの印字例を示すラベル帳票１の表面図である。
【図６】外貼内貼兼用ラベル２ｃを作製する際の、レーザーマーキングによる可変情報３０〜３３の印字例を示すラベル帳票１の（ａ）表面図と（ｂ）裏面図である。
【図７】（ａ）は、変形例のラベル帳票１ａの裏面図であり、（ｂ）は、同ラベル帳票１ａから作製した内貼用ラベル２ｄの貼着方法を示す説明図である。
【図８】変形例のラベル帳票１ｂの積層構造を示す説明図である。
【発明を実施するための形態】
【実施例１】
【００１９】
本発明の実施形態を、以下の実施例によって説明する。
本実施例のラベル帳票１は、大学への入構許可証として車両に貼着される車両用ラベルを作製するためのラベル帳票である。図１に示すように、ラベル帳票１は、正方形状のラベル部２と、ラベル部２を囲繞する矩形枠状の非ラベル部３とからなる横長長方形状のシートである。ラベル部２は車両用ラベルを構成することとなる部分であり、非ラベル部３は車両用ラベルを構成しない部分である。ラベル部２と非ラベル部３は、手で容易に切り離し得るように、両者の境界線４の大部分が切断されて、境界線４の四隅のみで繋がっている。なお、かかるラベル帳票１は、横８５ｍｍ×縦５４ｍｍ×厚さ２００〜８００μｍ程度のカードサイズである。もちろん、本発明のラベル帳票のサイズはこれに限定されるものではない。
【００２０】
本実施例のラベル帳票１には、全てのラベル帳票１で共通する固定情報が、表裏に予め配設されている。具体的には、ラベル部２には、固定情報として「○×大学」の文字からなる背景デザイン６が両面に印刷されている。かかる背景デザイン６は、主に偽造防止を目的とするものであり、文字に限らず、図形や地模様、ホログラム、又はこれらの組合せであってもよい。一方、非ラベル部３には、固定情報として、車両用ラベルの使用説明（貼付け方法）７，８が両面に印刷されている。表側の使用説明７は、自動車用ラベルとしての貼付け方法、すなわち、ウインドウガラスの内側に貼着する内貼用ラベルの使用説明である。一方、裏側の使用説明８は、バイク用ラベルとしての貼付け方法、すなわち、車両の外表面に貼着する外貼用ラベルの使用説明である。なお、使用説明７，８は説明図を含むものであってもよい。このように、本実施例のラベル帳票１には、全てのラベル帳票１に共通する固定情報６，７，８が予め印刷されており、車両用ラベルの作製時に、全てのラベル帳票１で共通しない可変情報を追加で印字するよう構成される。後述するように、本実施例の場合、可変情報の印字は、ＹＡＧレーザー光（波長１０６４ｎｍ）を用いたレーザーマーキングで行われる。
【００２１】
本実施例のラベル帳票１は、図２に示す積層構造をなしている。具体的には、ラベル帳票１の積層構造は、ＹＡＧレーザー光によるレーザーマーキングが可能な基材層１０と、基材層１０の表側に配設された透明な保護層１１と、基材層１０の裏側に配設された透明な粘着剤層１２と、粘着剤層１２の裏面に剥離可能に貼着された透明な剥離シート１３とを備えている。
【００２２】
基材層１０は、ベースシート１５と、該ベースシート１５の両面に積層された印刷層１６ａ，１６ｂと、各印刷層１６ａ，１６ｂを覆うように積層されたマーキング層１７ａ，１７ｂとを備えている。
【００２３】
ベースシート１５は、基材層１０のベースとなる樹脂層である。ベースシート１５は、一枚の樹脂フィルムによって構成される。後述するように、本実施例では、印刷層１６ａ，１６ｂが、可視光及びＹＡＧレーザー光を透過困難なものであるため、ベースシート１５は、可視光やＹＡＧレーザー光が透過し易いものであっても構わない。仮に、印刷層１６ａ，１６ｂが、可視光やＹＡＧレーザー光を透過させ易いものである場合には、ベースシート１５を、可視光やＹＡＧレーザー光を透過困難なものにすることが好ましい。ベースシート１５を構成する樹脂フィルムの材質としては、ポリエチレンテレフタレート（ＰＥＴ）やポリ塩化ビニル、ポリカーボネート、ポリエチレン（ＰＥ）などが挙げられる。また、ベースシート１５の厚みは、１００〜２００μｍ程度が好ましい。なお、ベースシート１５は、複数枚の樹脂フィルムの貼り合わせによって構成してもよい。また、ベースシート１５は、樹脂フィルムで構成されるものに限らず、紙や金属シート、又はこれらの貼り合わせからなるものであってもよい。
【００２４】
印刷層１６ａ，１６ｂは、ベースシート１５の表裏全体に形成される。印刷層１６ａ，１６ｂは、可視光及びＹＡＧレーザー光の透過率の低いインキで構成されており、かかる印刷層１６ａ，１６ｂにより、基材層１０は、可視光及びＹＡＧレーザー光を透過困難となっている。また、印刷層１６ａ，１６ｂは、その印刷パターンにより基材層１０の両面に固定情報６〜８を形成する。かかる印刷層１６ａ，１６ｂは、オフセット印刷・シルクスクリーン印刷・グラビア印刷・熱転写印刷などにより形成され得る。各印刷層１６ａ，１６ｂは、複数層からなるものであってもよい。また、印刷層１６ａ，１６ｂはホログラムを含むものであってもよい。
【００２５】
基材層１０の表裏のマーキング層１７ａ，１７ｂは、いずれもＹＡＧレーザー光の吸収率の高い、透明な樹脂層である。各マーキング層１７ａ，１７ｂは、一枚の樹脂フィルムによって構成されるものであり、透明な接着剤層２０ｂ，２０ｃを介して印刷層１６ａ，１６ｂの全面に接着されている。かかるマーキング層１７ａ，１７ｂはＹＡＧレーザー光の吸収率が高く、ＹＡＧレーザー光を用いたレーザーマーキングで炭化させることにより、黒色に発色させることができる。すなわち、基材層１０は、かかるマーキング層１７ａ，１７ｂによって両面に可変情報を印字可能となっている。マーキング層１７ａ，１７ｂを構成する樹脂フィルムの材質としては、ポリカーボネートやポリ塩化ビニル（ＰＶＣ）、高強度耐熱ＰＥＴなどが挙げられる。また、マーキング層１７ａ，１７ｂの厚みは、８０〜１２０μｍ程度が好ましい。なお、マーキング層１７ａ，１７ｂは、材質によっては、印刷層１６ａ，１６ｂに対して、接着でなく溶着されていてもよい。また、マーキング層１７ａ，１７ｂは、複数枚の樹脂フィルムの貼り合わせによって構成してもよい。また、樹脂フィルムの接合に替えて、マーキング層１７ａ，１７ｂを、印刷層１６ａ，１６ｂへのコーティングにより形成してもよい。
【００２６】
保護層１１は、ＹＡＧレーザー光の透過率が高い、透明な樹脂層である。保護層１１は、一枚の樹脂フィルムによって構成されるものであり、接着剤層２０ａを介して表側のマーキング層１７ａの全面に接着されている。なお、かかる接着剤層２０ａも、ＹＡＧレーザー光の透過率の高い透明な接着剤で構成される。保護層１１は、基材層１０の表面を保護するものであるため、比較的耐久性の高いものが好ましい。かかる観点から、保護層１１を構成する樹脂フィルムの材質としては、ＰＥＴやガラスフィルムなどが挙げられる。また、保護層１１の厚みは、５０〜１００μｍ程度が好ましい。なお、かかる保護層１１は、材質によっては、基材層１０（マーキング層１７ａ）に対して、接着でなく溶着されていてもよい。また、保護層１１は、複数枚の樹脂フィルムの貼り合わせによって構成してもよい。また、樹脂フィルムの接合に替えて、保護層１１を、基材層１０へのコーティングにより形成してもよい。
【００２７】
粘着剤層１２は、車両用ラベルを車両に貼着するためのものであり、基材層１０の裏側のマーキング層１７ｂの全面を覆うように形成されている。粘着剤層１２は、ＹＡＧレーザー光の透過率の高い、透明な粘着剤によって構成される。粘着剤層１２を構成するのに適した粘着剤としては、アクリル系粘着剤等が挙げられる。
【００２８】
剥離シート１３は、ＹＡＧレーザー光の透過率の高い一枚又は複数枚の透明な樹脂フィルム１９と、該樹脂フィルムの片面に形成される剥離剤層１８とによって構成されるものであり、剥離剤層１８が形成された側が、粘着剤層１２の裏面全体に貼着されている。
剥離シート１３の樹脂フィルム１９の厚みは、５０〜１００μｍ程度が好ましい。また、当該樹脂フィルム１９の材質としては、ＰＥＴ、ＰＥ、ポリプロピレンなどが挙げられる。また、剥離剤層１８の材質としては、シリコンなどが挙げられる。
【００２９】
以上の積層構造にあっては、印刷層１６ａ，１６ｂの外側に配置される全ての層（マーキング層１７ａ，１７ｂ、保護層１１、粘着剤層１２、剥離シート１３、及び接着剤層２０ａ，２０ｂ，２０ｃ）が、全て透明であるため、基材層１０の表裏の印刷層１６ａ，１６ｂに形成された固定情報６〜８は、ラベル帳票１の表裏から問題なく視認される。また、マーキング層１７ａ，１７ｂの外側に配置される全ての層（保護層１１、粘着剤層１２、剥離シート１３、及び接着剤層２０ａ）は、ＹＡＧレーザー光の透過率が高く、ＹＡＧレーザー光が透過容易であるため、基材層１０の表裏のマーキング層１７ａ，１７ｂに、レーザーマーキングで適切に可変情報を印字できる。また、マーキング層１７ａ，１７ｂよりも外側の層は、全て透明であるから、マーキング層１７ａ，１７ｂに印字する可変情報は、ラベル帳票１の表裏から問題なく視認できる。また、本実施例では、基材層１０（印刷層１６ａ，１６ｂ）が、可視光及びＹＡＧレーザー光を透過困難であるため、固定情報６〜８や可変情報が基材層１０の反対側から透けて見えることはなく、また、レーザーマーキングの際に、ＹＡＧレーザー光が基材層１０を透過して、反対側のマーキング層１７ａ，１７ｂまで炭化させてしまうような不具合も発生しない。
【００３０】
本実施例のラベル帳票１は、例えば、以下の（１）〜（５）の工程によって製造され得る。
（１）ベースシート１５の表裏に印刷層１６ａ，１６ｂを印刷する。
（２）各印刷層１６ａ，１６ｂに対してマーキング層１７ａ，１７ｂを接着する。
（３）表側のマーキング層１７ａに保護層１１を接着する。
（４）裏側のマーキング層１７ｂに対して、粘着剤層１２が形成された剥離シート１３を貼着する。
（５）（１）〜（４）の工程を、複数のラベル帳票が連続する状態で実行し、最後に各帳票を切断・分離して、単票形式のラベル帳票１を得る。
【００３１】
以下に、本実施例のラベル帳票１の使用例を説明する。
通常、本実施例のラベル帳票１は、車両用ラベル（本実施例では入構許可証）の発行者に納入される。かかるラベル帳票１には固定情報６〜８しか印刷されておらず（図１参照）、可変情報は、車両用ラベルの発行時に発行者によって追加される。具体的には、車両の入構許可申請が認められると、車両用ラベルの発行者は、レーザーマーキング装置によって、本実施例のラベル帳票１に有効期限等の可変情報を印字して車両用ラベルを作製し、入構許可証として申請者に発行する。そして、発行された車両用ラベル（入構許可証）は、申請者によって許可車両に貼着される。なお、レーザーマーキング装置は、シート状基材にＹＡＧレーザー光でレーザーマーキングを行う汎用品を用いることができる。
【００３２】
ここで、本使用例では、ラベル帳票１から二種類の車両用ラベルを選択的に作製する。すなわち、バイクの外表面に貼着する外貼用ラベルと、自動車用のウインドウガラスの内側に貼着する内貼用ラベルの二種類である。具体的には、本使用例では、外貼用ラベル作製時と内貼用ラベル作製時とで、可変情報を異なる面にレーザーマーキングすることによって、外貼用ラベルと内貼用ラベルを選択的に作製する。
【００３３】
より具体的には、外貼用ラベルを作製する場合には、レーザーマーキングによって、ラベル帳票１の表側にのみ可変情報を印字する。図３（ａ）は、外貼用ラベル作製時における可変情報３０〜３３の印字例である。印字前（図１（ａ）参照）と比較すると明らかなように、外貼用ラベル２ａの作製時には、ラベル部２の表側に入構許可証としての有効期限３０が印字される。有効期限３０は有効期限満了の年と月を表す数字であり、図３（ａ）の印字例の場合は、有効期限満了が「３０」年「１２」月であることを示している。また、非ラベル部３の表側には、無効マーク３１と、注意書き３２と、許可車両の登録番号３３とが印字される。無効マーク３１は、ラベル帳票１の表側に事前印刷された内貼用ラベルの使用説明８が無効であることを示すものであり、取消線や「×」印によって構成される。注意書き３２は、貼着作業者に、反対面に印刷された外貼用ラベルの使用説明７を参照するように促すためのものである。このように、本使用例では、外貼用ラベル２ａの作製時には、ラベル帳票１の表側にのみ可変情報３０〜３３が追加され、ラベル帳票１の裏側には固定情報６，８のみが表示される（図１（ｂ）参照）。
【００３４】
図３（ａ）のように可変情報３０〜３３が印字されたラベル帳票１は、図３（ａ）の状態で、許可申請者に発行される。そして、許可申請者は、図３（ｂ）に示すように、発行されたラベル帳票１のラベル部２、すなわち外貼用ラベル２ａを、非ラベル部３から切り離し、切り離した外貼用ラベル２ａから裏面側の剥離シート１３を剥離して、粘着剤層１２を許可対象のバイクの外表面に貼着する。これにより、当該バイクの外表面に、外貼用ラベル２ａの有効期限３０が視認可能に表示される。
【００３５】
一方、内貼用ラベルを作製する場合には、レーザーマーキングによって、ラベル帳票１の裏側にのみ可変情報を印字する。図４（ａ）は、内貼用ラベル作製時における可変情報３０〜３３の印字例である。印字前（図２（ａ）参照）と比較すると明らかなように、内貼用ラベル２ｂの作製時には、ラベル部２の裏側に入構許可証としての有効期限３０が印字される。有効期限３０の印字態様は、外貼用ラベル作製時と同じである。また、非ラベル部３の裏側には、外貼用ラベル作製時と同様に、無効マーク３１と、注意書き３２と、許可車両の登録番号３３とが印字される。無効マーク３１は、ラベル帳票１の裏側に事前印刷された外貼用ラベルの使用説明８が無効であることを示すものであり、取消線や「×」印によって構成される。注意書き３２は、貼着作業者に、反対面に印刷された内貼用ラベルの使用説明７を参照するように促すためのものである。このように、本使用例では、内貼用ラベル２ｂの作製時には、ラベル帳票１の裏側にのみ可変情報３０〜３３が追加され、ラベル帳票１の表側には固定情報６，７のみが表示される（図１（ａ）参照）。
【００３６】
図４（ａ）のように可変情報３０〜３３が印字されたラベル帳票１は、図４（ａ）の状態で、許可申請者に発行される。そして、許可申請者は、図４（ｂ）に示すように、発行されたラベル帳票１のラベル部２、すなわち内貼用ラベル２ｂを、非ラベル部３から切り離し、切り離した内貼用ラベル２ｂから裏面側の剥離シート１３を剥離して、粘着剤層１２を許可対象の自動車のウインドウガラスの内側に貼着する。これにより、当該自動車のウインドウガラスの外側に向けて、内貼用ラベル２ｂの有効期限３０が視認可能に表示される。
【００３７】
以上のように、本実施例のラベル帳票１によれば、レーザーマーキングで可変情報３０〜３３を異なる面に印字することで、外貼用ラベル２ａと内貼用ラベル２ｂとを選択的に作製できる。また、本実施例のラベル帳票１は、可変情報３０〜３３を印字した後に、車両用ラベルを構成するラベル部２を非ラベル部３から切り離し、剥離シート１３を剥がして貼着対象部位に貼り付けるだけであるため、従来構成で行われているような、可変情報の印字後にラベル片を重ねる作業は不要となる。また、外貼用ラベル２ａと内貼用ラベル２ｂの場合で貼着対象部位は相違するものの、貼着作業の手順は共通しているため、従来構成に比べて作業手順の取り違いも低減できる。このように、本実施例によれば、従来構成に比べて、車両用ラベルの貼着作業が容易となり、また、貼着作業のミスも低減される。
【００３８】
また、本実施例のラベル帳票１は、可変情報３０〜３３をレーザーマーキングにより印字するため、車両用ラベルの発行者は、インキ等の消耗品のコストを削減できるという利点がある。
【００３９】
また、特許文献１に記載された従来のラベル帳票は、透明ラベル片と不透明ラベル片を重ねるまでは、可変情報の印字面が表面に露出することとなるが、本実施例に係るラベル帳票１では、内層のマーキング層１７ａ，１７ｂに可変情報３０〜３３を印字するため、可変情報３０〜３３の印字面がラベル帳票１の表面に一切露出せず、従来構成に比べて改ざんが難しいという利点がある。
【００４０】
また、本実施例のラベル帳票１は、ラベル部２と非ラベル部３とを連続させて、非ラベル部３に外貼用ラベル２ａの使用説明７と、内貼用ラベル２ｂの使用説明８とを固定情報として印刷しているため、車両用ラベル２ａ，２ｂと、その使用説明とを一繋がりのシートとして効率的に作製できる。また、かかる構成では、レーザーマーキングの際に、一方の使用説明７，８と重なるように無効マーク３１を印字するだけで足りるため、使用説明７，８をレーザーマーキングするのに比べて、レーザーマーキングの印字時間を短縮できるという利点がある。特に、本実施例では、外貼用ラベル２ａの使用説明７が基材層１０の裏側に形成され、内貼用ラベル２ｂの使用説明８が基材層１０の表側に形成されているため、上述のように外貼用ラベル２ａの作製時には、基材層１０の裏側へのレーザーマーキングを省略でき、また、内貼用ラベル２ｂの作製時には、基材層１０の表側へのレーザーマーキングを省略できるという利点がある。
【００４１】
なお、上述した外貼用ラベル２ａと内貼用ラベル２ｂの作製方法（図３，４参照）は、本実施例のラベル帳票１の一使用例であり、本実施例のラベル帳票１の使用方法はこれに限定されず、可変情報の印字内容や印字形態は適宜変更可能である。例えば、上記使用例では、内貼用ラベル２ｂの作製時に、ラベル帳票１の裏側のみに可変情報３０〜３３を印字しているが、内貼用ラベル２ｂは車内からも視認可能である。このため、内貼用ラベル２ｂの作製時には、図４（ａ）のようにラベル部２の裏側に可変情報３０〜３３を印字するのに加えて、図５に示すように、ラベル部２の表側にも可変情報（有効期限）３０ａをレーザーマーキングで印字するようにしてもよい。このように、内貼用ラベル２ｂの表側にも可変情報を印字すれば、自動車の運転手等が車内から車両用ラベル（入構許可証）の有効期限を確認可能となるため、当該有効期限を自動車の運転手等に意識させることが可能となる。
【００４２】
また、本実施例のラベル帳票１では、外貼用としても内貼用としても使用可能な外貼内貼兼用ラベルを作製することもできる。外貼内貼兼用ラベルを作製するには、例えば、図６に示すように、レーザーマーキングによりラベル部２の表裏に有効期限３０を同一形態で印字すればよい。かかる作製方法によって得られる車両用ラベル２ｃは、バイクの外表面に貼着した場合にも、当該外表面に有効期限３０を視認することができ、また、ウインドウガラスの内側に貼着した場合にも、ウインドウガラスの外側から有効期限３０を視認できるから、外貼用ラベルとしても、内貼用ラベルとしても使用できる。このように、外貼内貼兼用ラベル２ｃは、ラベル部２の両面に可変情報３０を印字する手間はあるものの、車両用ラベルの作製時に、許可車両の種類に応じて外貼用と内貼用を作り分ける手間が不要となる。
【００４３】
以上に、本発明の実施例について説明したが、本発明は、上記実施例の形態に限定されるものでなく、本発明の趣旨を逸脱しない範囲内において適宜変更可能である。例えば、上記実施例は、以下のように変更することが提案される。なお、以下では、上記実施例と共通する構成については、本文及び図中で共通符号を付して説明を省略している。
【００４４】
図７（ａ）は、実施例の構成に加えて、ラベル部２の裏側に正方形状の切込線４０を形成してなる変形例のラベル帳票１ａである。かかる切込線４０は、剥離シート１３を切断して粘着剤層１２まで達しており、かかる切込線４０により、剥離シート１３は、ラベル部２の中央部に貼着された中央剥離部１３ａと、ラベル部２の外周部に貼着された外周剥離部１３ｂとに切り離されている。
【００４５】
本変形例のラベル帳票１ａにより作製される車両用ラベル２ｄは、図７（ｂ）に示すように、中央剥離部１３ａを車両用ラベル２ｄに貼着したまま、外周剥離部１３ｂのみを車両用ラベル２ｄから剥離して、バイクの外表面や、自動車のウインドウガラスに貼着できる。なお、図７（ｂ）における車両用ラベル２ｄのハッチングパターンは、外周剥離部１３ｂを剥離した部分を示すためのものである。このように、本変形例では、外周剥離部１３ｂを剥離した外周部のみを車両に貼着することができるため、車両用ラベル２ａ，２ｂの裏面全体を車両に貼着する実施例の構成に比べて、車両用ラベル２ｄを剥がし易く、また、剥がした時の糊残りも低減できるという利点がある。また、車両用ラベル２ｄを剥離した時に糊残りが生じたとしても、糊残りが生じる箇所は車両用ラベル２ｄの外周部であるため、同じ箇所に新しい車両用ラベルを貼着しても、可変情報（有効期限）３０の視認性が損なわれ難いという利点もある。また、本変形例では、車両用ラベル２ｄを車両に強力に貼着することが求められる場合には、中央剥離部１３ａと外周剥離部１３ｂの双方を剥離して貼着すれば、上記実施例と同程度の粘着力で、車両用ラベル２ｄを車体に貼着できるという利点もある。なお、かかる変形例では、ラベル部２の裏面において、剥離シート１３が中央剥離部１３ａと外周剥離部１３ｂの二片に分割されているが、中央剥離部１３ａ及び／又は外周剥離部１３ｂをさらに複数の断片に分割してもよい。また、本変形例では、切込線４０によって中央剥離部１３ａと外周剥離部１３ｂが分離されているが、切込線４０は中央剥離部１３ａと外周剥離部１３ｂを切り離し容易にする程度のものであってもよい。
【００４６】
図８は、上記実施例から、基材層１０の積層構造（図２参照）を変更した変形例である。図８に示すように、かかる変形例のラベル帳票１ｂでは、基材層１０が、ベースシート１５と、ベースシート１５の両面に積層される印刷層１６ａ，１６ｂとで構成されており、実施例に係るマーキング層１７ａ，１７ｂを具備していない。また、保護層１１は、表側の印刷層１６ａに溶着されており、本変形例のラベル帳票１ｂは、実施例に係る接着剤層２０ａ〜２０ｃを具備していない。図８に示すように、かかる変形例では、レーザーマーキングによって印刷層１６ａ，１６ｂを炭化させることにより、基材層１０ａに可変情報を印字する。すなわち、本変形例では、印刷層１６ａ，１６ｂにより固定情報を形成するとともに、当該印刷層１６ａ，１６ｂに可変情報を追加する。上記実施例と本変形例を比較すると、レーザーマーキング専用のマーキング層１７ａ，１７ｂを具備する実施例の構成の方が、可変情報を明瞭に印字可能であるが、本変形例では、マーキング層１７ａ，１７ｂや接着剤層２０ａ〜２０ｃを具備しないため、実施例に比べて低廉に製造できるという利点がある。このように、本発明のラベル帳票の積層構造は、実施例の構成に限定されず、ラベル帳票の機能を喪失しない範囲において、一部の層を省略したり、新たな層を追加したりすることが可能である。
【００４７】
また、上記実施例のラベル帳票１は、可変情報のレーザーマーキングにＹＡＧレーザー光を用いるが、本発明にあって、レーザーマーキングに用いる「特定のレーザー光」は、保護層や基材層などの光透過特性・光吸収特性に応じて適宜選択されるべきものであり、ＹＡＧレーザー光に限定されるものでない。具体的には、本発明に係る「特定のレーザー光」は、ＣＯ２レーザー光や、ＹＶＯ４レーザー光、ファイバレーザー光などであってもよい。
【００４８】
また、上記実施例のラベル帳票１は、レーザーマーキングにより基材層１０を炭化させて、可変情報を黒色でマーキングするものであるが、本発明に係るレーザーマーキングは、基材層の表面を炭化させるものに限らず、レーザー光の照射対象を凝縮や発泡、化学変化させることによって発色させるものであってもよい。
【００４９】
また、上記実施例のラベル帳票１では、帳票全体が、保護層、基材層、粘着剤層、及び剥離シートからなる積層構造を有しているが、本発明に係るラベル帳票は、少なくとも車両用ラベルを構成する部分（ラベル部）が、かかる積層構造を有していれば足りる。
【００５０】
また、上記実施例のラベル帳票１は、車両用ラベルを構成することとなるラベル部と、車両用ラベルを構成しない非ラベル部とを連続させてなる構成であるが、本発明のラベル帳票は、ラベル部を具備していれば足り、非ラベル部を具備していなくてもよい。
【００５１】
また、上記実施例のラベル帳票１は、ラベル部２と非ラベル部３の境界線４に切込みが入っていて、非ラベル部３から切り離した後で、ラベル部２から剥離シート１３を剥がすよう構成されているが、ラベル部２と非ラベル部３の境界線４に、剥離シート１３以外を切断するハーフカットを形成して、ラベル部２と非ラベル部３を切り離すことなく、剥離シート１３からラベル部２を剥がし取るようにしてもよい。
【００５２】
また、上記実施例のラベル帳票１の基材層１０にＲＦＩＤインレットを埋設して、当該ＲＦＩＤインレットに、車両用ラベル２ａ，２ｂに印字する可変情報（有効期限）３０などを記憶させるようにしてもよい。
【符号の説明】
【００５３】
１，１ａ，１ｂ  ラベル帳票
２  ラベル部
２ａ  外貼用ラベル
２ｂ，２ｄ  内貼用ラベル
２ｃ  外貼内貼兼用ラベル
３  非ラベル部
４  境界線
６  背景デザイン
７  外貼用ラベルの使用説明
８  内貼用ラベルの使用説明
１０，１０ａ  基材層
１１  保護層
１２  粘着剤層
１３  剥離シート
１３ａ  中央剥離部
１３ｂ  外周剥離部
１５  ベースシート
１６ａ，１６ｂ  印刷層
１７ａ，１７ｂ  マーキング層
１８  剥離剤層
１９  樹脂フィルム
２０ａ，２０ｂ，２０ｃ  接着剤層
３０，３０ａ  有効期限
３１  無効マーク
３２  注意書き
３３  登録番号
４０  切込線
【図１】
2020098305.tif 000003
【図２】
2020098305.tif 000004
【図３】
2020098305.tif 000005
【図４】
2020098305.tif 000006
【図５】
2020098305.tif 000007
【図６】
2020098305.tif 000008
【図７】
2020098305.tif 000009
【図８】
2020098305.tif 000010